(57)【要約】【課題】引戸枠部材の上方に敷設するレールが、戸袋の外部にのみ敷設される引戸装置でも、引戸の開閉操作をスムーズに行うことができる引戸装置を提供すること。【解決手段】引戸枠部材２と、該引戸枠部材２内を移動する引戸４と、引戸枠部材２の一側に形成された戸袋３とからなる引戸装置において、引戸４の戸先側の上面４ａに配設した戸車５と、引戸枠部材２の上方で戸袋３の外部に敷設した戸車５を支持するレール６と、床面の少なくとも、全閉位置の引戸４と全開位置の引戸４との重なり部Ｐに対応する位置及び引戸４の全開位置で引戸４の重心位置Ｇよりも戸尻側の位置に配設した引戸４の荷重を支持するための回転体７とを備える。【選択図】図１
2009228388.tif 000002
【特許請求の範囲】
【請求項１】
引戸枠部材と、該引戸枠部材内を移動する引戸と、引戸枠部材の一側に形成された戸袋とからなる引戸装置において、引戸の戸先側の上面に配設した戸車と、引戸枠部材の上方で戸袋の外部に敷設した戸車を支持するレールと、床面の少なくとも、全閉位置の引戸と全開位置の引戸の重なり部に対応する位置及び引戸の全開位置で引戸の重心位置よりも戸尻側の位置に配設した引戸の荷重を支持するための回転体とを備えたことを特徴とする引戸装置。
【請求項２】
全閉位置の引戸と全開位置の引戸の重なり部に対応する位置に配設した回転体と、引戸の全開位置で引戸の重心位置よりも戸尻側の位置に配設した回転体との距離を、引戸の重心から戸尻側端までの距離よりも小さくなるようにしたことを特徴とする請求項１記載の引戸装置。
【請求項３】
前記回転体を、緩衝機構を介して上下方向に移動可能に配設したことを特徴とする請求項１又は２記載の引戸装置。
【請求項４】
引戸の底面の戸尻側には、前記回転体を案内する案内部を設けたことを特徴とする請求項１、２又は３記載の引戸装置。
【発明の詳細な説明】
【技術分野】
【０００１】
本発明は、引戸装置に関し、特に、引戸の上面に配設した戸車を支持するレールを戸袋内にまで配設しなくても引戸を安定して開閉することができるようにした引戸装置に関するものである。
【背景技術】
【０００２】
従来、引戸枠部材内を移動する上吊り式の引戸では、引戸の上面に配設した戸車を支持するレールを、引戸を収納する戸袋内まで配設する必要があり、レールの取り付けやメンテナンス時に長時間を要し、作業効率が悪いという問題があった。
【０００３】
このため、図７に示す引戸装置が提案されている（例えば、特許文献１及び２参照）。
この引戸装置２０は、引戸枠部材２１と、引戸枠部材２１の一側に形成された戸袋２２と、該戸袋２２内に収納され、戸先側の上面に吊り車３１及び戸尻側の下面に戸車３２を配設した引戸３０と、引戸枠部材２１の戸袋２２の外部となる開口部Ｗの上方に敷設した吊り車３１を支持するレール２３とより構成され、開口部Ｗの上方の戸尻側にガイドローラ２４を配設して、開閉時の引戸の振れ止めをするようにしている。
【０００４】
そして、この引戸装置２０は、開口部Ｗの床面の後方となる戸袋２２内の床面には、戸車３２を支持する支持レール３３が敷設されており、引戸３０の移動を案内するようにしている。
【特許文献１】特開２００７−３１５０１７号公報
【特許文献２】特開２００６−１９４０４８号公報
【発明の開示】
【発明が解決しようとする課題】
【０００５】
ところで、戸袋２２内に吊り車３１を支持するレール２３を配設する構造では、レール２３を着脱するためのレール２３の配設構造が複雑になるという問題があった。
また、上記引戸装置２０のように床面に敷設した支持レール３３の上を戸車３２が走行するようにすると、戸車３２が支持レール３３から脱線することがあり、また、引戸３０の開閉時に戸袋２２内にゴミが入り込んだ場合に、支持レール３３にゴミが堆積する等して、引戸３０の開閉操作に支障をきたすことがあるという問題があった。
【０００６】
本発明は、上記従来の引戸装置の有する問題点に鑑み、引戸枠部材の上方に敷設するレールが、戸袋の外部にのみ敷設される引戸装置でも、引戸の開閉操作をスムーズに行うことができる引戸装置を提供することを目的とする。
【課題を解決するための手段】
【０００７】
上記目的を達成するため、本発明の引戸装置は、引戸枠部材と、該引戸枠部材内を移動する引戸と、引戸枠部材の一側に形成された戸袋とからなる引戸装置において、引戸の戸先側の上面に配設した戸車と、引戸枠部材の上方で戸袋の外部に敷設した戸車を支持するレールと、床面の少なくとも、全閉位置の引戸と全開位置の引戸の重なり部に対応する位置及び引戸の全開位置で引戸の重心位置よりも戸尻側の位置に配設した引戸の荷重を支持するための回転体とを備えたことを特徴とする。
【０００８】
この場合において、全閉位置の引戸と全開位置の引戸の重なり部に対応する位置に配設した回転体と、引戸の全開位置で引戸の重心位置よりも戸尻側の位置に配設した回転体との距離を、引戸の重心から戸尻側端までの距離よりも小さくなるようにすることができる。
【０００９】
また、前記回転体を、緩衝機構を介して上下方向に移動可能に配設することができる。
【００１０】
さらに、引戸の底面の戸尻側には、前記回転体を案内する案内部を設けることができる。
【発明の効果】
【００１１】
本発明の引戸装置によれば、引戸の戸先側の上面に配設した戸車と、引戸枠部材の上方で戸袋の外部に敷設した戸車を支持するレールと、床面の少なくとも、全閉位置の引戸と全開位置の引戸の重なり部に対応する位置及び引戸の全開位置で引戸の重心位置よりも戸尻側の位置に配設した引戸の荷重を支持するための回転体とを備えたから、引戸は、上面に配設した戸車と、床面に配設された引戸の荷重を支持するための回転体によって支持されて引戸枠部材内を安定して移動するとともに、床面にはレールではなく回転体によって引戸の荷重を支持するため、戸袋内へゴミが入り込んでも引戸の開閉操作に支障をきたすことがない。
また、引戸の全開位置で引戸の重心位置よりも戸尻側の位置に引戸の荷重を支持するための回転体を配設するから、引戸を全開位置に移動させたときに引戸が傾くことがないように引戸を支持することができる。
【００１２】
また、全閉位置の引戸と全開位置の引戸の重なり部に対応する位置に配設した回転体と、引戸の全開位置で引戸の重心位置よりも戸尻側の位置に配設した回転体との距離を、引戸の重心から戸尻側端までの距離よりも小さくするときは、引戸の重心位置が全閉位置の引戸と全開位置の引戸の重なり部に対応する位置に配設した回転体の位置に到達する直前に引戸の戸尻側底面が引戸の全開位置で引戸の重心位置よりも戸尻側の位置に配設した回転体によって支持されることになるから、引戸が移動中にバランスを崩して傾くことがない。
【００１３】
また、前記回転体を、緩衝機構を介して上下方向に移動可能に配設するときは、引戸の移動によって、引戸の底面と床面との距離の変動を緩衝機構が上下に移動することによって吸収し、スムーズに引戸の開閉を行うことができる。
【００１４】
また、引戸の底面の戸尻側には、前記回転体を案内する案内部を設けるときは、引戸の移動中に、引戸の戸尻側の底面が振れても、回転体は、案内部によって確実に引戸の底面に案内され、引戸の荷重を支持することができる。
【発明を実施するための最良の形態】
【００１５】
以下、本発明の引戸装置の実施の形態を、図面に基づいて説明する。
【００１６】
図１〜図６に、本発明の引戸装置の一実施例を示す。
この引戸装置１は、引戸枠部材２と、該引戸枠部材２内を移動する引戸４と、引戸枠部材２の一側に形成された戸袋３とからなり、引戸４の戸先側の上面４ａに配設した戸車５と、引戸枠部材２の上方で戸袋３の外部に敷設した戸車５を支持するレール６と、床面の少なくとも、全閉位置の引戸４と全開位置の引戸４との重なり部Ｐに対応する位置及び引戸４の全開位置で引戸４の重心位置Ｇよりも戸尻側の位置に配設した引戸４の荷重を支持するための回転体７とを備える。
【００１７】
回転体７は、全閉位置の引戸４と全開位置の引戸４との重なり部Ｐに対応する位置に配設する回転体７ａと、引戸４の全開位置で引戸４の重心位置Ｇよりも戸尻側の位置に配設する回転体７ｂとからなり、回転体７ｂは、引戸４の重心位置Ｇが回転体７ａよりも戸尻側になる前に、引戸４の荷重を支持することができる位置、つまり、回転体７ａと回転体７ｂとの距離を、引戸の重心から戸尻側端までの距離よりも小さくなるように配設することが好ましい。
【００１８】
また、回転体７の構成は、特に限定されるものではないが、本実施例においては、断面コ字状のフランジＦと、該フランジＦに回動自在に取り付けた車輪Ｋとから構成されている。
【００１９】
回転体７は、引戸枠部材２の一側に形成された戸袋３の床面及び全閉位置の引戸４と全開位置の引戸４との重なり部Ｐに対応する位置に配設される下枠８内に取り付けられる。
下枠８は、断面コ字状の固定枠８ａと、回転体７の取り付け部分となる凸部を有する取付枠８ｂとからなる。
固定枠８ａは、戸袋３の床面に予め固定され、取付枠８ｂは、図３（ａ）に示すように、固定枠８ａに突出して配設した位置決めピンＣと、取付枠８ｂに開口した、大径部と小径部とを連続して形成したいわゆるだるま孔Ｄとによって取付枠８ｂを所望の場所に位置させ、戸袋３の外部の適宜位置で、ビス等の締結手段Ｂによって床面に固定するようにしている。
上記の構造によって、戸袋３の外部の締結手段Ｂを取り外すだけで、固定枠８ａから取付枠８ｂを容易に取り外して引き抜くことができ、例えば、回転体７が損傷しても容易に交換することができる。
【００２０】
また、回転体７は、特に、常時は引戸４を支持しない引戸４の全開位置で引戸４の重心位置Ｇよりも戸尻側の位置に配設する回転体７ｂは、緩衝機構Ｓを介して上下方向に移動可能に配設することが好ましい。
緩衝機構Ｓは、特に限定するものでなく、取付枠８ｂに取り付けるフランジＦを上下方向に移動可能となる構成であればよく、例えば、フランジＦと取付枠８ｂとの間に配設するスプリング等からなる弾性体を使用することができる。
これによって、引戸４の底面と床面との距離に変動が生じても、緩衝機構Ｓによって当該変動を吸収し、回転体７ｂによって引戸４を確実に支持することができる。
【００２１】
引戸４の下面には、回転体７と当接するレール枠９を配設する。
レール枠９は、引戸４の枠組みの下枠とすることができ、回転体７の車輪Ｋと当接するレール部９ａを突出形成し、引戸４の荷重をレール部９ａを介して回転体７によって支持されるようにしている。この場合、車輪Ｋは、図２に示すように、鍔付きの車輪を利用することによって、レール部９ａから脱線したり、ずれが生じたりすることなく引戸４の移動を安定させることができる。
【００２２】
また、引戸４の底面の戸尻側には、回転体７ｂを案内する案内部１０を設けることが好ましい。
案内部１０の構成は、特に限定されるものではなく、本実施例においては、図４に示すように、レール枠９のレール部９ａの端部を、底面傾斜部１０ａ、側面傾斜部１０ｂ、１０ｂとすることによって構成するようにしている。
これによって、引戸４の戸尻側の底面が振れても、回転体７ｂは、案内部１０によって確実に引戸４の底面に案内され、引戸４の荷重を支持することができる。
【００２３】
引戸枠部材２の上方で戸袋３の外部に敷設したレール６は、引戸４の戸先側の上面４ａに配設した戸車５を支持する形状であれば、その形状は特に限定されず、本実施例においては、図５に示すように、下方両端から内側に向かって突設する戸車受部６ａを形成する断面Ｃ字状の形状としている。
【００２４】
次に、この引戸装置１の開閉動作について説明する。
【００２５】
まず、引戸４が全閉位置にあるとき、引戸４は、戸先側の上面４ａに配設した戸車５と、回転体７ａによって支持されている（図６（ａ）参照）。
【００２６】
引戸４を全開位置に向かって移動を開始し、引戸４の重心位置Ｇが回転体７ａの位置に到達する直前に引戸４の戸尻側底面は、回転体７ｂによって支持される（図６（ｂ）参照）。これによって、引戸４の移動中に引戸４が傾くことなく安定して移動する。
また、このとき回転体７ｂを、緩衝機構Ｓを介して上下方向に移動可能に配設するとともに、引戸４の底面の戸尻側に回転体７ｂを案内する案内部１０を設けるようにしているから、引戸４の戸尻側の底面が振れても、引戸４は、確実に回転体７ｂによって支持される。
【００２７】
次に、この状態から、引戸４を全開位置まで移動させ、引戸４の開放操作を終了する（図６（ｃ）参照）。
このとき、回転体７ｂは、全開位置で引戸４の重心位置Ｇよりも戸尻側の位置に配設しているから、引戸４が傾くことなく安定した状態を保つことができる。
【００２８】
そして、上記要領とは逆方向に引戸４を移動させることによって、引戸４を全閉位置に移動させることができる。
【００２９】
以上、本発明の引戸装置について、その実施例に基づいて説明したが、本発明は上記実施例に記載した構成に限定されるものではなく、その趣旨を逸脱しない範囲において適宜その構成を変更することができるものである。
【産業上の利用可能性】
【００３０】
本発明の引戸装置は、引戸枠部材の上方に敷設するレールが、戸袋の外部にのみ敷設される場合に、戸袋内へゴミが入り込んでも引戸の開閉操作に支障をきたすことがないという特性を有していることから、学校用の引戸装置の他、種々の用途の引戸装置に好適に用いることができる。
【図面の簡単な説明】
【００３１】
【図１】本発明の引戸装置の一実施例を示す閉鎖位置での正面断面図である。
【図２】同引戸装置の回転体の側面図で、（ａ）は図１のＸ−Ｘ断面図を、（ｂ）は図１のＹ−Ｙ断面図を、それぞれ示す。
【図３】同引戸装置の回転体の平面図及び正面図で、（ａ）は一部切り欠きの平面図を、（ｂ）は一部切り欠きの正面図を、それぞれ示す。
【図４】引戸の下面の戸尻側に設けた案内部の説明図で、（ａ）は一部切り欠きの側面図を、（ｂ）は（ａ）のＴ−Ｔ断面図を、（ｃ）は（ａ）のＶ−Ｖ断面図を、それぞれ示す。
【図５】図１のＺ−Ｚ断面図である。
【図６】同引戸装置の開閉動作の説明図で、（ａ）は引戸が全閉位置にある状態を、（ｂ）は引戸が全開位置に向かって移動する途中の状態を、（ｃ）は引戸が全開位置にある状態を、それぞれ示す。
【図７】従来の引戸装置を示す閉鎖位置での正面図である。
【符号の説明】
【００３２】
１    引戸装置
２    引戸枠部材
３    戸袋
４    引戸
５    戸車
６    レール
７    回転体
１０  案内部
Ｇ    引戸の重心位置
Ｓ    緩衝機構
【図１】
2009228388.tif 000003
【図２】
2009228388.tif 000004
【図３】
2009228388.tif 000005
【図４】
2009228388.tif 000006
【図５】
2009228388.tif 000007
【図６】
2009228388.tif 000008
【図７】
2009228388.tif 000009